【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
磁気共鳴イメージングシステムの環境におけるノイズを抑制する方法であって、前記方法は：
少なくとも１つの一次コイル及び少なくとも１つの補助センサそれぞれによって前記環境から得られる複数の較正測定値に基づいて伝達関数を推定するステップと；
少なくとも部分的に前記伝達関数に基づいて前記少なくとも１つの一次コイルによって受信される磁気共鳴信号に存在するノイズを推定するステップと；
前記のノイズ推定を使用して前記磁気共鳴信号のノイズを抑制するステップと；を含む、
方法。
【請求項２】
前記少なくとも１つの一次コイルは、前記磁気共鳴イメージングシステムの視野内に位置するときサンプルによって作り出される磁気共鳴信号を検出するように前記磁気共鳴イメージングシステムの前記視野内に配置され、前記少なくとも１つの補助センサは、前記視野の外側に配置される少なくとも１つの補助コイルを有する、
請求項１に記載の方法。
【請求項３】
前記伝達関数は、前記少なくとも１つの補助コイルによって受信されるノイズ信号に適用されるとき、前記少なくとも１つの一次コイルによって受信されるノイズの推定値を提供する、
請求項２に記載の方法。
【請求項４】
前記磁気共鳴信号に存在するノイズを推定するステップは、前記少なくとも１つの一次コイルが前記磁気共鳴信号を受信するのと同時に前記少なくとも１つの補助コイルによって受信されるノイズ信号に前記伝達関数を適用するステップを含む、
請求項３に記載の方法。
【請求項５】
前記複数の較正測定値は、前記少なくとも１つの補助センサによって得られる第１の複数の較正測定値及び前記少なくとも１つの一次コイルによって得られる第２の複数の較正測定値を含み、前記第１の複数の較正測定値のそれぞれは、前記第２の複数の較正測定値のそれぞれの１つと実質的に同時に得られる、
請求項１に記載の方法。
【請求項６】
前記少なくとも１つの補助コイルは、複数の補助コイルを有し、前記伝達関数は、前記複数の補助コイルのそれぞれによって前記環境から得られた複数の較正測定値を使用して推定される、
請求項２に記載の方法。
【請求項７】
前記複数の補助コイルのそれぞれは、異なるそれぞれの場所に配置される、
請求項６に記載の方法。
【請求項８】
前記複数の補助コイルの少なくとも１つは、少なくとも１つの他の補助コイルと異なる種類である、
請求項６に記載の方法。
【請求項９】
前記ノイズを推定するステップは、前記複数の補助コイルのそれぞれによって受信され且つ前記少なくとも１つの一次コイルが前記磁気共鳴信号を受信するのと実質的に同時に得られるノイズ信号に前記伝達関数を適用するステップを含む、
請求項６に記載の方法。
【請求項１０】
前記伝達関数を推定するステップは、関心のあるスペクトルにわたる複数の周波数ビンのそれぞれに関して前記伝達関数を推定するステップを含む、
請求項１に記載の方法。
【請求項１１】
前記少なくとも１つの補助センサは、電源線によって作り出される環境ノイズを抑制するために前記電源線に結合されるセンサを含む、
請求項１に記載の方法。
【請求項１２】
前記磁気共鳴イメージングシステムは、低磁場磁気共鳴イメージングシステムである、
請求項１に記載の方法。
【請求項１３】
前記低磁場磁気共鳴イメージングシステムは、約  ．２Ｔ以下のＢ０場を発生させるように構成される、
請求項１２に記載の方法。
【請求項１４】
前記低磁場磁気共鳴イメージングシステムは、約  ．１Ｔ以下のＢ０場を発生させるように構成される、
請求項１２に記載の方法。
【請求項１５】
前記低磁場磁気共鳴イメージングシステムは、約  ２０ｍＴ以下のＢ０場を発生させるように構成される、
請求項１２に記載の方法。
【請求項１６】
磁気共鳴イメージング（ＭＲＩ）システムであって：
少なくとも１つの一次コイルと；
少なくとも１つの補助センサと；
前記少なくとも１つの一次コイル及び前記少なくとも１つの補助センサに前記磁気共鳴イメージングシステムの環境から複数の較正測定値をそれぞれ取得させるように、並びにそれぞれの前記複数の較正測定値に基づいて伝達関数を推定するように構成される少なくとも１つのコントローラと、を有し、
前記コントローラはさらに、少なくとも部分的に前記伝達関数に基づいて前記少なくとも１つの一次コイルによって受信される磁気共鳴信号に存在するノイズを推定するように、及び前記のノイズ推定を使用して前記磁気共鳴信号のノイズを抑制するように構成される、
ＭＲＩシステム。
【請求項１７】
前記少なくとも１つの一次コイルは、前記ＭＲＩシステムの視野内に位置するときサンプルによって作り出される磁気共鳴信号を検出するように前記ＭＲＩシステムの前記視野内に配置され、前記少なくとも１つの補助センサは、前記視野の外側に配置される少なくとも１つの補助コイルを有する、
請求項１６に記載のＭＲＩシステム。
【請求項１８】
前記伝達関数は、前記少なくとも１つの補助コイルによって受信されるノイズ信号に適用されるとき、前記少なくとも１つの一次コイルによって受信されるノイズの推定値を提供する、
請求項１７に記載のＭＲＩシステム。
【請求項１９】
前記少なくとも１つのコントローラは、前記磁気共鳴信号が前記少なくとも１つの一次コイルによって受信されるのと実質的に同時に、前記少なくとも１つの補助コイルによって受信されるノイズ信号に前記伝達関数を少なくとも部分的に適用することによって、前記磁気共鳴信号に存在するノイズを推定するように構成される、
請求項１８に記載のＭＲＩシステム。
【請求項２０】
前記少なくとも１つのコントローラは、前記少なくとも１つの補助コイルに第１の複数の較正測定値を取得させるとともに前記少なくとも１つの一次コイルに第２の複数の較正測定値を取得させ、前記第１の複数の較正測定値のそれぞれは、前記第２の複数の較正測定値のそれぞれの１つと実質的に同時に取得されるようにされる、
請求項１７に記載のＭＲＩシステム。
【請求項２１】
前記少なくとも１つの補助センサは、複数の補助コイルを有し、前記伝達関数は、前記複数の補助コイルのそれぞれによって前記環境から取得された複数の較正測定値を使用して推定される、
請求項１６に記載のＭＲＩシステム。
【請求項２２】
前記複数の補助コイルのそれぞれは、異なるそれぞれの場所に配置される、
請求項２１に記載のＭＲＩシステム。
【請求項２３】
前記複数の補助コイルの少なくとも１つは、少なくとも１つの他の補助コイルと異なる種類である、
請求項２１に記載のＭＲＩシステム。
【請求項２４】
前記ノイズを推定することは、前記少なくとも１つの一次コイルが前記磁気共鳴信号を受信するのと実質的に同時に前記複数の補助コイルのそれぞれから取得されるノイズ信号に前記伝達関数を適用することを含む、
請求項２１に記載のＭＲＩシステム。
【請求項２５】
前記少なくとも１つのコントローラは、関心のあるスペクトルにわたる複数の周波数ビンのそれぞれに関して前記伝達関数を推定するように構成される、
請求項１６に記載のＭＲＩシステム。
【請求項２６】
前記少なくとも１つの補助センサは、電源線によって作り出される環境ノイズを抑制するために前記電源線に結合されるセンサを含む
請求項１６に記載のＭＲＩシステム。
【請求項２７】
磁気共鳴イメージングシステムの環境で検出されるノイズを抑制する方法であって、前記方法は：
第１の空間エンコーディングを使用して第１のパルスシーケンスを適用することによって少なくとも１つの第１の磁気共鳴信号を取得するステップ；
前記第１の空間エンコーディングを使用して前記第１のパルスシーケンスを適用することによって少なくとも１つの第２の磁気共鳴信号を取得するステップ；
前記少なくとも１つの第１の磁気共鳴信号と前記少なくとも１つの第２の磁気共鳴信号との間の差を計算するステップ；及び
少なくとも部分的に、前記の計算された差に基づいてノイズを推定するステップ；を含む、
方法。
【請求項２８】
少なくとも部分的に、前記の推定されたノイズに基づいて、伝達関数を計算するステップをさらに含む、
請求項２７に記載の方法。
【請求項２９】
前記伝達関数を使用して、前記少なくとも１つの第１の磁気共鳴信号及び／又は前記少なくとも１つの第２の磁気共鳴信号におけるノイズを抑制するステップをさらに含む、
請求項２８に記載の方法。
【請求項３０】
位相シフトを使用して前記少なくとも１つの第１の磁気共鳴信号及び前記少なくとも１つの第２の磁気共鳴信号を整列させるステップを含む、
請求項２７に記載の方法。
【請求項３１】
前記第１のパルスシーケンスは、バランス定常状態自由歳差（ｂＳＳＦＰ）パルスシーケンスである、
請求項２７に記載の方法。
【請求項３２】
前記少なくとも１つの第１の磁気共鳴信号は、第１の場所から取得される第１の複数の平均化された磁気共鳴信号を含む、
請求項２７に記載の方法。
【請求項３３】
磁気共鳴イメージングシステムの環境で検出されるノイズを抑制する装置であって、前記システムは、
磁気共鳴信号を検出するように構成される少なくとも１つの受信コイル；
空間エンコーディングのための少なくとも１つの勾配コイル；並びに
少なくとも１つのコントローラであって：
少なくとも１つの第１の磁気共鳴信号を取得するよう第１の空間エンコーディングを使用して第１のパルスシーケンスにしたがって、前記少なくとも１つの受信コイル及び前記少なくとも１つの勾配コイルを作動させるように；
少なくとも１つの第２の磁気共鳴信号を取得するよう前記第１の空間エンコーディングを使用して前記第１のパルスシーケンスにしたがって、前記少なくとも１つの受信コイル及び前記少なくとも１つの勾配コイルを作動させるように；
前記少なくとも１つの第１の磁気共鳴信号と前記少なくとも１つの第２の磁気共鳴信号との間の差を計算するように；及び
少なくとも部分的に、前記の計算された差に基づいてノイズを推定するように；構成される、少なくとも１つのコントローラ；を含む、
装置。
【請求項３４】
前記少なくとも１つのコントローラは、少なくとも部分的に、前記の推定されたノイズにしたがって、伝達関数を計算するように構成される、
請求項３３に記載の装置。
【請求項３５】
前記少なくとも１つのコントローラは、前記伝達関数を使用して、前記少なくとも１つの第１の磁気共鳴信号及び／又は前記少なくとも１つの第２の磁気共鳴信号におけるノイズを抑制するように構成される、
請求項３４に記載の装置。
【請求項３６】
前記少なくとも１つのコントローラは、位相シフトを使用して前記少なくとも１つの第１の磁気共鳴信号及び前記少なくとも１つの第２の磁気共鳴信号を整列させるように構成される、
請求項３３に記載の装置。
【請求項３７】
前記第１のパルスシーケンスは、バランス定常状態自由歳差（ｂＳＳＦＰ）パルスシーケンスである、
請求項３３に記載の装置。
【請求項３８】
前記少なくとも１つの第１の磁気共鳴信号は、第１の場所から取得される第１の複数の平均化された磁気共鳴信号を含む、
請求項３３に記載の装置。